(57)【特許請求の範囲】
【請求項１】
物体側から像側へ順に、負の屈折力の第１レンズ群、正の屈折力の第２レンズ群、負の屈折力の第３レンズ群、正の屈折力の第４レンズ群より構成され、隣り合うレンズ群の間隔を変化させてズーミングを行うズームレンズにおいて、前記第１レンズ群は、物体側から像側へ順に、負レンズと、物体側の面が凸形状の正レンズからなり、前記第１レンズ群の焦点距離をｆ１、前記第３レンズ群の焦点距離をｆ３、前記第１レンズ群の正レンズの材料のアッベ数をνｄ１ｐ、前記第３レンズ群の物体側から数えて第ｉ番目の単レンズの空気中での焦点距離をｆ３ｉ、前記第３レンズ群の物体側から数えて第ｉ番目の単レンズの材料のアッベ数をνｄ３ｉ、広角端における全系の焦点距離をｆｗ、前記第２レンズ群の焦点距離をｆ２としたとき、
０．３０  ＜  ｆ１／ｆ３  ＜  ０．６８
１０．０  ＜  νｄ１ｐ  ＜  ２３．０
２．１  ＜  ｆ３＊Σ（１００／（ｆ３ｉ＊νｄ３ｉ））  ＜  ５．０
３．７  ＜  ｜ｆ３／ｆｗ｜  ＜  ６．５
１．８  ＜  ｜ｆ２／ｆｗ｜  ＜  ３．０
なる条件式を満足することを特徴とするズームレンズ。
【請求項２】
広角端における前記第２レンズ群と前記第３レンズ群の間隔をＤ２３ｗ、望遠端における前記第２レンズ群と前記第３レンズ群の間隔をＤ２３ｔとするとき、
０．２  ＜  Ｄ２３ｗ／Ｄ２３ｔ  ＜  ０．９
なる条件式を満足することを特徴とする請求項１に記載のズームレンズ。
【請求項３】
１．９  ＜  ｜ｆ１／ｆｗ｜  ＜  ３．０
なる条件式を満足することを特徴とする請求項１または２に記載のズームレンズ。
【請求項４】
前記第３レンズ群は１つの単レンズまたは１つの接合レンズにより構成されることを特徴とする請求項１乃至３のいずれか１項に記載のズームレンズ。
【請求項５】
前記第４レンズ群は１つの単レンズまたは１つの接合レンズにより構成されることを特徴とする請求項１乃至４のいずれか１項に記載のズームレンズ。
【請求項６】
広角端から望遠端へのズーミングに際し、前記第１レンズ群は像側に凸状の軌跡の一部を描いて移動し、前記第２、第３レンズ群は互いに異なる軌跡で物体側へ移動し、前記第４レンズ群は像側若しくは物体側へ移動または物体側へ凸状の軌跡を描いて移動することを特徴とする請求項１乃至５のいずれか１項に記載のズームレンズ。
【請求項７】
光電変換素子に像を形成することを特徴とする請求項１乃至６のいずれか１項に記載のズームレンズ。
【請求項８】
請求項１乃至７のいずれか１項に記載のズームレンズと、該ズームレンズによって形成される像を受光する光電変換素子とを備えることを特徴とする撮像装置。
【発明の詳細な説明】
【技術分野】
【０００１】
本発明は、ズームレンズ及びそれを有する撮像装置に関し、特にデジタルカメラ、ビデオカメラ、監視用カメラ、銀塩写真用カメラ、ＴＶカメラなどに好適なものである。
【背景技術】
【０００２】
最近、固体撮像素子を用いたビデオカメラ、デジタルスチルカメラ等の撮像装置は、装置全体が小型で高性能であることが求められている。
【０００３】
撮像装置を小型化する手段として、非撮影時に撮像光学系を構成する各レンズ群の間隔を撮影状態と異なる間隔まで縮小し、全体としての厚み（光軸方向の長さ）を薄くする、所謂、沈胴式鏡筒を用いたものが知られている。そしてこれらの撮像装置に用いられる撮像光学系は、撮像装置の小型化のために沈胴時に、全系が小型であること、撮像素子の高画素化に対応した高い光学性能を有するズームレンズであることが求められている。また、撮像領域拡大のため、より広画角での撮像が可能な広画角のズームレンズであることが求められている。
【０００４】
全体が小型で広画角化が容易なズームレンズとして、物体側に負の屈折力のレンズ群が位置するネガティブリード型のズームレンズが知られている。ネガティブリード型の広画角のズームレンズとして、物体側から像側へ順に、負、正、負、正の屈折力のレンズ群からなり、各レンズ群間隔を変化させてズーミングを行う４群ズームレンズが知られている（特許文献１、２）。
【０００５】
特許文献１には５倍程度のズーム比を有し、広角端の撮像半画角が４０度程度の広画角な４群ズームレンズが開示されている。また、特許文献２には、３倍程度のズーム比を有し、広角端の撮像半画角が３５度程で、第１レンズ群を２つのレンズより構成した小型の４群ズームレンズが開示されている。
【先行技術文献】
【特許文献】
【０００６】
【特許文献１】特開２００８−１９７１７６号公報
【特許文献２】特開２００３−１３１１３０号公報
【発明の概要】
【発明が解決しようとする課題】
【０００７】
一般にネガティブリード型のズームレンズは、広画角化には有利であるがレンズ構成の非対称性が顕著である。このため例えばズーミングに際して各レンズ群が移動する４群ズームレンズではレンズ構成の非対称の変化が原因となって収差変動が多くなり、小型化を図りつつ、全ズーム領域で高い光学性能を得るのが大変難しくなっている。特に前述した４群ズームレンズにおいて広画角化を図ると、像面彎曲と色収差が多くなり、これらの収差を補正するのが大変困難になってくる。
【０００８】
特許文献１に開示されているズームレンズでは、第１レンズ群を２つの負レンズと、１つの正レンズより構成することで、広画角化に伴う像面湾曲と倍率色の収差を補正している。しかしながら、第１レンズ群が３つのレンズより成るため第１レンズ群の厚さが増大し、沈胴時における光軸方向の厚みが増大する傾向がある。また、特許文献２に開示されているズームレンズは第１レンズ群を１つの負レンズと、１つの正レンズより構成することで、沈胴時における光軸方向の厚みの薄型化を実現している。しかしながら、広角端の撮像半画角が３５度程度であり、撮像画角が必ずしも十分でない。
【０００９】
前述した４群ズームレンズでは、各レンズ群の屈折力（パワー）、レンズ構成そしてレンズに用いる材料のアッベ数（分散）等を適切に設定することが全系の小型化を図りつつ広画角化で全ズーム領域において高い光学性能を得るのに重要になってくる。例えば負の屈折力の第１レンズ群と負の屈折力の第３レンズ群の屈折力やそれらに用いるレンズの材料等を適切に設定しないと広画角で全ズーム範囲にわたり高い光学性能を得るのが困難になってくる。
【００１０】
本発明は広画角で全ズーム領域で高い光学性能を有したズームレンズの提供を目的とする。この他本発明は、広画角化と沈胴時の薄型化を図りつつ、像面彎曲、色収差などの諸収差を良好に補正し、ズーム全域で良好な光学特性が得られるズームレンズの提供を目的とする。
【課題を解決するための手段】
【００１１】
本発明のズームレンズは、物体側から像側へ順に、負の屈折力の第１レンズ群、正の屈折力の第２レンズ群、負の屈折力の第３レンズ群、正の屈折力の第４レンズ群より構成され、隣り合うレンズ群の間隔を変化させてズーミングを行うズームレンズにおいて、前記第１レンズ群は、物体側から像側へ順に、負レンズと、物体側の面が凸形状の正レンズからなり、前記第１レンズ群の焦点距離をｆ１、前記第３レンズ群の焦点距離をｆ３、前記第１レンズ群の正レンズの材料のアッベ数をνｄ１ｐ、前記第３レンズ群の物体側から数えて第ｉ番目の単レンズの空気中での焦点距離をｆ３ｉ、前記第３レンズ群の物体側から数えて第ｉ番目の単レンズの材料のアッベ数をνｄ３ｉ、広角端における全系の焦点距離をｆｗ、前記第２レンズ群の焦点距離をｆ２としたとき、
０．３０  ＜  ｆ１／ｆ３  ＜  ０．６８
１０．０  ＜  νｄ１ｐ  ＜  ２３．０
２．１  ＜  ｆ３＊Σ（１００／（ｆ３ｉ＊νｄ３ｉ））  ＜  ５．０
３．７  ＜  ｜ｆ３／ｆｗ｜  ＜  ６．５
１．８  ＜  ｜ｆ２／ｆｗ｜  ＜  ３．０
なる条件式を満足することを特徴としている。
【発明の効果】
【００１２】
本発明によれば、広画角で全ズーム領域で高い光学性能を有したズームレンズが得られる。
【図面の簡単な説明】
【００１３】
【図１】実施例１のズームレンズの広角端におけるレンズ断面図
【図２】（Ａ）、（Ｂ）、（Ｃ）  実施例１の広角端、中間のズーム位置、望遠端における収差図
【図３】実施例２のズームレンズの広角端におけるレンズ断面図
【図４】（Ａ）、（Ｂ）、（Ｃ）  実施例２の広角端、中間のズーム位置、望遠端における収差図
【図５】実施例３のズームレンズの広角端におけるレンズ断面図
【図６】（Ａ）、（Ｂ）、（Ｃ）  実施例３の広角端、中間のズーム位置、望遠端における収差図
【図７】実施例４のズームレンズの広角端におけるレンズ断面図
【図８】（Ａ）、（Ｂ）、（Ｃ）  実施例４の広角端、中間のズーム位置、望遠端における収差図
【図９】実施例５のズームレンズの広角端におけるレンズ断面図
【図１０】（Ａ）、（Ｂ）、（Ｃ）  実施例５の広角端、中間のズーム位置、望遠端における収差図
【図１１】実施例６のズームレンズの広角端におけるレンズ断面図
【図１２】（Ａ）、（Ｂ）、（Ｃ）  実施例６の広角端、中間のズーム位置、望遠端における収差図
【図１３】本発明の撮像装置の要部概略図
【発明を実施するための形態】
【００１４】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、負の屈折力の第３レンズ群、正の屈折力の第４レンズ群より構成されている。そして隣り合うレンズ群の間隔を変化させてズーミングを行う。広角端から望遠端へのズーミングに際し、第１レンズ群は像側に凸状の軌跡の一部を描いて移動する。第２、第３レンズ群は互いに独立に物体側へ移動し、第４レンズ群は像面側へ若しくは物体側へ移動または物体側へ凸状の軌跡を描いて移動する。
【００１５】
図１は、本発明の実施例１のズームレンズの広角端（短焦点距離端）における断面図である。図２（Ａ）、（Ｂ）、（Ｃ）はそれぞれ実施形態１のズームレンズの広角端、中間のズーム位置、望遠端（長焦点距離端）における収差図である。実施例１はズーム比３．８７、開口比（Ｆナンバー）２．８２〜５．９６のズームレンズである。図３は、本発明の実施例２のズームレンズの広角端における断面図である。図４（Ａ）、（Ｂ）、（Ｃ）はそれぞれ実施例２のズームレンズの広角端、中間のズーム位置、望遠端における収差図である。実施例２はズーム比３．８１、開口比２．８８〜５．９６のズームレンズである。図５は、本発明の実施例３のズームレンズの広角端における断面図である。図６（Ａ）、（Ｂ）、（Ｃ）はそれぞれ実施例３のズームレンズの広角端、中間のズーム位置、望遠端における収差図である。実施例３はズーム比３．８７、開口比２．８８〜５．７５のズームレンズである。
【００１６】
図７は、本発明の実施例４のズームレンズの広角端における断面図である。図８（Ａ）、（Ｂ）、（Ｃ）はそれぞれ実施例４のズームレンズの広角端、中間のズーム位置、望遠端における収差図である。実施例４はズーム比３．８１、開口比２．８８〜５．７７のズームレンズである。図９は、本発明の実施例５のズームレンズの広角端における断面図である。図１０（Ａ）、（Ｂ）、（Ｃ）はそれぞれ実施例５のズームレンズの広角端、中間のズーム位置、望遠端における収差図である。実施例５はズーム比４．７６、開口比２．８８〜５．９６のズームレンズである。図１１は、本発明の実施例６のズームレンズの広角端における断面図である。図１２（Ａ）、（Ｂ）、（Ｃ）はそれぞれ実施例６のズームレンズの広角端、中間のズーム位置、望遠端における収差図である。実施例６はズーム比２．９３、開口比２．８８〜５．３６のズームレンズである。
【００１７】
図１３は、本発明のズームレンズを備えるカメラ（撮像装置）の要部概略図である。各実施例のズームレンズはビデオカメラやデジタルカメラ、銀塩フィルムカメラなどの撮像装置に用いられる撮影レンズ系である。レンズ断面図において、左方が物体側（前方）で、右方が像側（後方）である。尚、各実施例のズームレンズをプロジェクターに用いても良く、このときは左方がスクリーン側、右方が被投射画像側となる。また、レンズ断面図において、ｉを物体側からのレンズ群の順番とすると、Ｌｉは第ｉレンズ群、Ｇｉｊは第ｉレンズ群Ｌｉの第ｊレンズを示す。図９においてＳＰは開口絞りであり、第２レンズ群Ｌ２中に配置されている。Ｇは光学フィルター、フェースプレート、ローパスフィルター、赤外カットフィルターなどに相当する光学ブロックである。
【００１８】
ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。また像面ＩＰは銀塩フィルムカメラの撮影光学系としてズームレンズを使用する際には、フィルム面に相当する。矢印は広角端から望遠端へのズーミングに際して、各レンズ群の移動軌跡を示している。収差図において、ｄ、ｇは各々ｄ線及びｇ線、ΔＭ、ΔＳはメリディオナル像面、サジタル像面である。倍率色収差はｇ線によって表している。ωは半画角、ＦｎｏはＦナンバーである。なお、各実施例において広角端と望遠端は変倍用のレンズ群（例えば第２レンズ群Ｌ２）が機構上、光軸上を移動可能な範囲の両端に位置したときのズーム位置をいう。
【００１９】
各実施例はいずれも、物体側から像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４で構成している。そしてズーミングに際し、隣り合うレンズ群の間隔が変化している。具体的には広角端から望遠端へのズーミングに際して、第１レンズ群Ｌ１が像側に凸状の軌跡で移動し、変倍に伴う像面変動を補正している。第２レンズ群Ｌ２は物体側に移動し、第３レンズ群Ｌ３は物体側に移動している。第４レンズ群Ｌ４は像面側若しくは物体側へ単調移動又は物体側に凸状の軌跡で移動またはズーミングに際して不動である。
【００２０】
第１レンズ群Ｌ１は物体側から像側へ順に、負レンズと物体側の面が凸形状の正レンズからなっている。第１レンズ群Ｌ１の焦点距離をｆ１、第３レンズ群Ｌ３の焦点距離をｆ３とする。第１レンズ群Ｌ１の正レンズの材料のアッベ数をνｄ１ｐとする。第３レンズ群Ｌ３の物体側から数えて第ｉ番目の単レンズの空気中での焦点距離をｆ３ｉとする。第３レンズ群Ｌ３の物体側から数えて第ｉ番目の単レンズの材料のアッベ数をνｄ３ｉとする。第３レンズ群Ｌ３に含まれる全ての単レンズの焦点距離ｆ３ｉとアッベ数νｄ３ｉに対する和をΣで表わす。このとき、
０．３０ ＜ ｆ１／ｆ３ ＜ ０．６８ ・・・（１）
１０．０ ＜ νｄ１ｐ ＜ ２３．０ ・・・（２）
２．１ ＜ ｆ３＊Σ（１００／（ｆ３ｉ＊νｄ３ｉ）） ＜ ５．０ ・・・（３）
なる条件式を満足している。
【００２１】
各実施例では、第１レンズ群Ｌ１を負レンズと正レンズで構成することで第１レンズ群Ｌ１の厚さを短くし、沈胴時における全系の薄型化を容易にしている。前述した屈折力配置より成る４群ズームレンズにおいて、広角端の画角（撮影画角）を広画角化するためには、第１レンズＬ１の屈折力（焦点距離の逆数）を大きくする必要がある。
【００２２】
ここで、各レンズ群のレンズ群内の色収差を充分に補正することでズームレンズ全系の色収差を良好に補正する手法を次に示す。第１レンズ群Ｌ１内での色消しのため第１レンズ群内の各単レンズの材料のアッベ数の比を大きくとることで、第１レンズ群内の負レンズの屈折力を緩め、像面湾曲と色収差を補正することができる。しかし、更なる広画角化を進めた場合、第１レンズ群内において色収差を補正しようとすると、第１レンズ群内で対となる正レンズの材料のアッベ数には限界がある。このため、第１レンズ群内の負レンズの屈折力が大きくなりすぎ、１つの負レンズで第１レンズ群を構成しようとすると像面湾曲の補正が困難となる。
【００２３】
ここで、第１レンズ群内の色消しをあえて補正不足の状態として、残存した色収差を他のレンズ群で補償するようにしている。つまり、第１レンズ群のレンズ群内での色消しをあえて補正不足とすることで、第１レンズ群内の負レンズの屈折力を像面湾曲が良好に補正できる程度まで緩めている。そして残存した色収差は負の屈折力の第３レンズ群で補償することで、ズーム全域にわたり像面湾曲と色収差をバランス良く補正するようにしている。
【００２４】
色収差のズーム全域での補正に関し、まず、広角端で顕著に発生する倍率色収差の補正方法について述べる。前述のように第１レンズ群でレンズ群内の色収差が補正不足の状態なのに対し、広角端における最軸外画角の主光線と光軸の交差する位置より像面側に負の屈折力の第３レンズ群をレンズ群内の色収差が補正不足の状態で配置する。この構成をとることでズームレンズのレンズ構成の対象性を利用し、ズームレンズ全系において倍率色収差を補正している。
【００２５】
つぎに、望遠端において顕著に発生する軸上色収差の補正方法を述べる。前述のように第１レンズ群は負の屈折力のレンズ群であり、色収差が補正不足の状態で配置されている。ここで、ズームレンズ全系の屈折力は正であるため、第２レンズ群乃至第４レンズ群の合成レンズ群の合成焦点距離は正となる。つまり、ズームレンズ全系における軸上色収差を補正するためには、正の屈折力の合成レンズ群において色収差を補正過剰な状態とする必要がある。そこで、合成レンズ群を構成する負の屈折力の第３レンズ群をレンズ群内の色収差が補正不足の状態で配置することで前述の状態を実現すると、ズームレンズ全系において軸上色収差を補正することができる。以上のように、第１レンズ群内の色消し補正不足分は、第３レンズ群をレンズ群内の色収差が補正不足となるように配置することで、ズーム全域にわたり色収差を補正している。
【００２６】
条件式（１）は、第１レンズ群Ｌ１の焦点距離と、第３レンズ群Ｌ３の焦点距離の比を規定している。条件式（１）を満足するレンズ構成とすることで、光学系の広画角化を図るとともに像面彎曲、色収差を良好に補正している。条件式（１）の上限を超えると、第１レンズ群Ｌ１の屈折力が小さくなりすぎズームレンズの広画角化が困難となる、若しくは第３レンズ群Ｌ３の屈折力が大きくなりすぎ、ズームレンズ全系の色収差補正が補正過剰となる。一方、下限を超えると、第１レンズ群Ｌ１の屈折力が大きくなりすぎ、像面湾曲の補正が困難となる、若しくは第３レンズ群の屈折力が小さくなりすぎ、ズームレンズ全系の色収差が補正不足となるのでよくない。
【００２７】
条件式（２）は、第１レンズ群Ｌ１に含まれる正レンズＧ１２の材料のアッベ数を規定している。第１レンズ群Ｌ１に含まれる正レンズＧ１２の材料のアッベ数を高分散とすることで、対となる負レンズＧ１１とのアッベ数の比を大きくとり、各単レンズの屈折力を小さくすることで、広角端における像面湾曲を良好に補正している。条件式（２）の上限を超えると、第１レンズ群Ｌ１内の正レンズの材料のアッベ数が大きくなりすぎ、第１レンズ群内の各単レンズの材料のアッベ数の比が小さくなることで、第１レンズ群内の各単レンズの屈折力が大きくなることで像面彎曲の補正が困難となる。一方、下限を超えると、第１レンズ群Ｌ１内の正レンズの材料のアッベ数が小さくなりすぎ、第１レンズ群Ｌ１内での色消しが強まり、ズームレンズ全系における色収差が補正過剰となるのでよくない。
【００２８】
条件式（３）は、第３レンズ群Ｌ３のレンズ群内における色消し状態を規定している。第３レンズ群Ｌ３のレンズ群内の色消しをあえて補正不足とすることで、第１レンズ群Ｌ１で残存する色収差を補償し、ズーム全域での色収差を良好に補正している。条件式（３）の上限を超えると、第３レンズ群Ｌ３内で発生する色収差が、第１レンズ群Ｌ１で残存する色収差の補償に必要な量に対して大きくなりすぎる。一方、下限を超えると、第３レンズ群Ｌ３内で発生する色収差が、第１レンズ群Ｌ１で残存する色収差の補償に必要な量に対し不足しすぎるのでよくない。
【００２９】
各実施例において、より好ましくは、条件式（１）乃至（３）を以下の数値範囲とするとよい。
【００３０】
０．３５  ＜  ｆ１／ｆ３  ＜  ０．６７    ・・・（１ａ）
１２．０  ＜  νｄ１ｐ  ＜  ２２．５・・（２ａ）
２．２  ＜  ｆ３＊Σ（１００／（ｆ３ｉ＊νｄ３ｉ））  ＜  ４．５  ・・・（３ａ）
各実施例において、更に好ましくは、条件式（１ａ）乃至（３ａ）を以下の数値範囲とするとよい。
【００３１】
０．４０  ＜  ｆ１／ｆ３  ＜  ０．６６    ・・・（１ｂ）
１４．０  ＜  νｄ１ｐ  ＜  ２２．０    ・・・（２ｂ）
２．３  ＜  ｆ３＊Σ(１００／（ｆ３ｉ＊νｄ３ｉ））  ＜  ４．０  ・・・（３ｂ）
各実施例によればネガティブリード型の４群ズームレンズにおいて、前述の如く第１レンズ群Ｌ１と第３レンズ群Ｌ３のレンズ構成を最適化している。これにより、広画角であり、沈胴時に薄型で、像面彎曲、色収差をズーム全域で良好に補正し、高い光学特性を有するズームレンズを得ている。
【００３２】
各実施例のズームレンズにおいて、更にレンズ系全体の小型化、広画角化を図りつつ良好な光学性能を得るために、次の諸条件のうち１以上を満足するのが良い。ズームレンズ全系の広角端における焦点距離をｆｗとする。ズームレンズ全系の広角端における第２レンズ群Ｌ２と第３レンズ群Ｌ３の間隔をＤ２３ｗとする。ズームレンズ全系の望遠端における第２レンズ群Ｌ２と第３レンズ群Ｌ３の間隔をＤ２３ｔとする。第２レンズ群Ｌ２の焦点距離をｆ２とする。
【００３３】
このとき、
３．７  ＜  ｜ｆ３／ｆｗ｜  ＜  ６．５      ・・・（４）
０．２  ＜  Ｄ２３ｗ／Ｄ２３ｔ  ＜  ０．９  ・・・（５）
１．９  ＜  ｜ｆ１／ｆｗ｜  ＜  ３．０      ・・・（６）
１．８  ＜  ｜ｆ２／ｆｗ｜  ＜  ３．０      ・・・（７）
なる条件のうち１以上を満足するのが良い。次に各条件式の技術的意味について説明する。
【００３４】
条件式（４）は、第３レンズ群Ｌ３の焦点距離を規定している。第３レンズ群Ｌ３を、条件式（４）を満足する屈折力とすることで、色収差をズーム全域にわたり良好に補正している。条件式（４）の上限を超えると、第３レンズ群Ｌ３の屈折力が小さくなりすぎ、ズームレンズ全系での色収差が補正不足となる。一方、下限を超えると、第３レンズ群Ｌ３の屈折力が大きくなりすぎ、ズームレンズ全系での色収差が補正過剰となるのでよくない。
【００３５】
条件式（５）は、第３レンズ群Ｌ３の広角端と望遠端での光軸方向の位置関係を規定している。第３レンズ群Ｌ３を、条件式（５）を満足する位置とすることで、倍率色収差と軸上色収差をバランスよく補正している。条件式（５）の上限を超えると、広角端と望遠端における第３レンズ群Ｌ３の位置の変化が小さくなるため、広角端における倍率色収差と望遠端における軸上収差の補正が困難となる。一方、下限を超えると、第３レンズ群Ｌ３の位置が望遠端において第２レンズ群Ｌ２に対し遠ざかりすぎる配置となるため、軸上色収差の補正が困難となるのでよくない。
【００３６】
条件式（６）は、第１レンズ群Ｌ１の焦点距離を規定している。第１レンズ群Ｌ１を、条件式（６）を満足する屈折力とすることで、広画角化と像面湾曲をバランス良く補正している。条件式（６）の上限を超えると、第１レンズ群Ｌ１の屈折力が小さくなりすぎ、ズームレンズの広画角化が困難となる。一方、下限を超えると、第１レンズ群Ｌ１の屈折力が大きくなりすぎ、像面湾曲の補正が困難となるのでよくない。
【００３７】
条件式（７）は、第２レンズ群Ｌ２の焦点距離を規定している。第２レンズ群Ｌ２を、条件式（７）を満足する屈折力とすることで、像面湾曲のズーミングによる変動を補正するとともにズームレンズ全系の小型化を図っている。条件式（７）の上限を超えると、第２レンズ群Ｌ２の屈折力が小さくなりすぎ、所望のズーム比を得るために第２レンズ群Ｌ２のズーミングの際のストロークが増大し、全系が大型化してしまう。一方、下限を超えると、第２レンズ群Ｌ２の屈折力が大きくなりすぎ、像面湾曲のズーミングに伴う変動を補正するのが困難となるのでよくない。各実施例において、より好ましくは条件式（４）〜（７）を以下の範囲とするのがよい。
【００３８】
３．８  ＜  ｜ｆ３／ｆｗ｜  ＜  ６．０      ・・・（４ａ）
０．２  ＜  Ｄ２３ｗ／Ｄ２３ｔ  ＜  ０．８  ・・・（５ａ）
２．０  ＜  ｜ｆ１／ｆｗ｜  ＜  ２．９      ・・・（６ａ）
１．８  ＜  ｜ｆ２／ｆｗ｜  ＜  ２．８      ・・・（７ａ）
各実施例において、更に好ましくは条件式（３ａ）〜（７ａ）を以下の範囲とするのがよい。
【００３９】
３．９  ＜  ｜ｆ３／ｆｗ｜  ＜  ５．５        ・・・（４ｂ）
０．２  ＜  Ｄ２３ｗ／Ｄ２３ｔ  ＜  ０．７    ・・・（５ｂ）
２．０  ＜  ｜ｆ１／ｆｗ｜  ＜  ２．８        ・・・（６ｂ）
１．８  ＜  ｜ｆ２／ｆｗ｜  ＜  ２．６        ・・・（７ｂ）
また各実施例では、第３レンズ群Ｌ３を１つのレンズ成分で構成している。ここで、レンズ成分とは、単レンズ若しくは、接合レンズより成ることを意味している。
【００４０】
第３レンズ群Ｌ３を１つのレンズ成分で構成することで、沈胴厚の薄型化を容易にしている。また、第３レンズ群Ｌ３をフォーカスレンズ群として用いる場合には、軽量化を実現し迅速な合焦を容易にしている。また各実施例では、第４レンズ群Ｌ４を１つのレンズ成分で構成している。第４レンズ群Ｌ４を１つのレンズ成分で構成することで、沈胴厚の薄型化を容易にしている。また、第４レンズ群Ｌ４をフォーカス群として用いる場合には、軽量化を実現し迅速な合焦を容易にしている。
【００４１】
また実施例１乃至５では、第４レンズ群Ｌ４をズーミングに際して可動としている。第４レンズ群Ｌ４をズーミングに際して可動とすることで、像面湾曲のズーミングに伴う変動を良好に補正している。ここで、広角端から望遠端へのズーミングに際し、第４レンズ群Ｌ４が物体側に凸状の軌跡で移動する構成をとれば、第４レンズ群Ｌ４に増倍機能を分担し、ズームレンズの高ズーム比化が容易となる。以上のように各実施例によれば、沈胴時に薄型で、像面彎曲、色収差などの諸収差が良好に補正された、ズーム全域で良好な光学特性を有するネガティブリード型の４群ズームレンズが得られる。
【００４２】
［実施例１］
図１を参照して、本発明の実施例１のズームレンズについて説明する。図１の実施例１では、広角端から望遠端へのズーミングに際し、矢印のように第１レンズ群Ｌ１は像側に凸状の軌跡で移動し、変倍による像面の変動を補償している。また、第２レンズ群Ｌ２、第３レンズ群Ｌ３、第４レンズ群Ｌ４は変倍レンズ群であり、それぞれ物体側、物体側、像側に移動している。
【００４３】
本実施例では第３レンズ群Ｌ３、若しくは第４レンズ群Ｌ４を光軸上で移動させてフォーカスを行う。インナーフォーカス方式を採用している。軽量なレンズ群をフォーカスレンズ群とすることで、迅速な合焦を容易にしている。以下、各レンズ群のレンズ構成は、物体側から像側の順とする。第１レンズ群Ｌ１は、像側面が非球面形状でメニスカス形状の負レンズ、物体側面が非球面形状でメニスカス形状の正レンズで構成している。このレンズ構成により、レンズ群厚の薄型化を容易にしている。
【００４４】
第２レンズ群Ｌ２は、物体側面が非球面形状で両凸形状の正レンズ、両凹形状の負レンズ、物体側面が非球面形状で両凸形状の正レンズで構成している。第３レンズ群Ｌ３は、両凹形状の負レンズで構成している。このレンズ構成により、第１レンズ群Ｌ１で残存する色収差を補償し、ズーム全域において色収差を良好に補正している。第４レンズ群Ｌ４は、物体側面が非球面で両凸形状の正レンズ１枚で構成している。
【００４５】
［実施例２］
図３を参照して、本発明の実施例２のズームレンズについて説明する。図３の実施例２では、広角端から望遠端へのズーミングに際し、矢印のように第１レンズ群Ｌ１は像側に凸状の軌跡で移動し、変倍による像面の変動を補償している。また、第２レンズ群Ｌ２、第３レンズ群Ｌ３、第４レンズ群Ｌ４は変倍レンズ群である。第２、第３レンズ群Ｌ２、Ｌ３はそれぞれ物体側に移動している。なお、第４レンズ群は物体側に凸状の軌跡で移動している。合焦方式は図１の実施例１と同じである。以下、各レンズ群のレンズ構成は、物体側から像側の順とする。
【００４６】
第１レンズ群Ｌ１は、像側面が非球面形状で両凹形状の負レンズ、物体側面が非球面形状でメニスカス形状の正レンズで構成している。このレンズ構成により、レンズ群厚の薄型化を容易にしている。第２レンズ群Ｌ２は、物体側面が非球面形状でメニスカス形状の正レンズ、両凸形状の正レンズ、像側面が非球面形状でメニスカス形状の負レンズで構成している。第３レンズ群Ｌ３は、両面が非球面形状で両凹形状の負レンズで構成している。このレンズ構成により、第１レンズ群Ｌ１で残存する色収差を補償し、ズーム全域において色収差を良好に補正している。第４レンズ群Ｌ４は、物体側面が非球面形状で両凸形状の正レンズで構成している。
【００４７】
［実施例３］
図５を参照して、本発明の実施例３によるズームレンズについて説明する。図５の実施例３では、ズームタイプ、合焦方式は図３の実施例２と同じである。実施例２と比較して、各レンズ群内でのレンズ構成を変更した点が異なる。以下、各レンズ群のレンズ構成は、物体側から像側の順とする。第１レンズ群Ｌ１は、像側面が非球面形状でメニスカス形状の負レンズ、物体側面が非球面形状でメニスカス形状の正レンズで構成している。このレンズ構成により、レンズ群厚の薄型化を容易にしている。
【００４８】
第２レンズ群Ｌ２は、物体側面が非球面形状で両凸形状の正レンズ、両凹形状の負レンズ、物体側面が非球面形状で両凸形状の正レンズで構成している。第３レンズ群Ｌ３は、物体側面が非球面形状で両凸形状の正レンズと両凹形状の負レンズとを接合した接合レンズで構成している。このレンズ構成により、第１レンズ群Ｌ１で残存する色収差を補償し、ズーム全域において色収差を良好に補正している。第４レンズ群Ｌ４は、物体側面が非球面形状で両凸形状の正レンズで構成している。
【００４９】
［実施例４］
図７を参照して、本発明の実施例４のズームレンズについて説明する。図７の実施例４では、広角端から望遠端へのズーミングに際し、矢印のように第１レンズ群Ｌ１は像側に凸の軌跡で移動し、変倍による像面の変動を補償している。また、第２レンズ群Ｌ２、第３レンズ群Ｌ３、第４レンズ群Ｌ４は変倍レンズ群である。第２、第３、第４レンズ群、それぞれ物体側に移動している。合焦方式は図１の実施例１と同じである。以下、各レンズ群のレンズ構成は、物体側から像側の順とする。第１レンズ群Ｌ１は、像側面が非球面形状でメニスカス形状の負レンズ、物体側面が非球面形状でメニスカス形状の正レンズで構成している。このレンズ構成により、レンズ群厚の薄型化を容易にしている。
【００５０】
第２レンズ群Ｌ２は、物体側面が非球面形状でメニスカス形状の正レンズ、メニスカス形状の負レンズ、物体側面が非球面形状で両凸形状の正レンズで構成している。第３レンズ群Ｌ３は、像側が非球面形状でメニスカス形状の負レンズで構成している。このレンズ構成により、第１レンズ群Ｌ１で残存する色収差を補償し、ズーム全域において色収差を良好に補正している。第４レンズ群Ｌ４は、物体側面が非球面形状で両凸形状の正レンズとメニスカス形状の負レンズとを接合した接合レンズで構成している。
【００５１】
［実施例５］
図９を参照して、本発明の実施例５によるズームレンズについて説明する。図９の実施例５では、ズームタイプ、合焦方式は図３の実施例２と同じである。実施例２と比較して、ズーム比、各レンズ群内でのレンズ構成を変更した点が異なる。以下、各レンズ群のレンズ構成は、物体側から像側の順とする。第１レンズ群Ｌ１は、像側面が非球面形状で両凹形状の負レンズ、物体側面が非球面形状でメニスカス形状の正レンズで構成している。この構成により、レンズ群厚の薄型化を容易にしている。第２レンズ群Ｌ２は、物体側面が非球面形状でメニスカス形状の正レンズ、両凸形状の正レンズと両凹形状の負レンズとを接合した接合レンズ、開口絞りＳＰ、両凸形状の正レンズで構成している。第３レンズ群Ｌ３は、両面が非球面形状でメニスカス形状の負レンズで構成している。この構成により、第１レンズ群Ｌ１で残存する色収差を補償し、ズーム全域において色収差を良好に補正している。第４レンズ群Ｌ４は、像側面が非球面形状でメニスカス形状の正レンズで構成している。
【００５２】
以上、本発明の好ましい実施形態について説明したが、本発明はこれらの実施形態に限定されず、その要旨の範囲内で種々の変形及び変更が可能である。
【００５３】
［実施例６］
図１１を参照して、本発明の実施例６のズームレンズについて説明する。図１１の実施例６では、広角端から望遠端へのズーミングに際し、矢印のように第１レンズ群Ｌ１は像側に凸状の軌跡で移動し、変倍による像面の変動を補償している。また、第２レンズ群Ｌ２、第３レンズ群Ｌ３は変倍レンズ群であり、それぞれ物体側に移動している。第４レンズ群Ｌ４は像面に対して固定している。
【００５４】
本実施例では第３レンズ群Ｌ３、若しくは第４レンズ群Ｌ４を光軸上で移動させてフォーカスを行う、インナーフォーカス方式を採用している。軽量なレンズ群をフォーカスレンズ群とすることで、迅速な合焦を容易にしている。以下、各レンズ群のレンズ構成は、物体側から像側の順とする。第１レンズ群Ｌ１は、像側面が非球面形状でメニスカス形状の負レンズ、物体側面が非球面形状でメニスカス形状の正レンズで構成している。このレンズ構成により、レンズ群厚の薄型化を容易にしている。
【００５５】
第２レンズ群Ｌ２は、物体側面が非球面形状で両凸形状の正レンズ、両凹形状の負レンズ、物体側面が非球面形状で両凸形状の正レンズで構成している。第３レンズ群Ｌ３は、両凹形状の負レンズで構成している。このレンズ構成により、第１レンズ群Ｌ１で残存する色収差を補償し、ズーム全域において色収差を良好に補正している。第４レンズ群Ｌ４は、物体側面が非球面で両凸形状の正レンズ１枚で構成している。
【００５６】
以下、実施例１〜６に対応する数値実施例１〜６の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。非球面形状は、光の進行方向を正、ｘを光軸方向の面頂点からの変位量として、ｈを光軸と垂直な方向の光軸からの高さ、Ｒを近軸曲率半径、ｋを円錐定数、Ｂ、Ｃ、Ｄ、Ｅを非球面係数とするとき、
ｘ  ＝  （ｈ２／Ｒ）／［１＋｛１−（１＋ｋ）＊（ｈ／Ｒ）２｝１／２］
＋Ｂ＊ｈ４＋Ｃ＊ｈ６＋Ｄ＊ｈ８＋Ｅ＊ｈ１０
なる式で表している。なお、各非球面係数における「Ｅ±ＸＸ」は「×１０±ＸＸ」を意味している。また、前述の各条件式と数値実施例との関係を（表１）に示す。
【００５７】
（数値実施例１）
単位 mm
面データ
面番号       r        d      nd         νd       有効径
1         55.748    1.05   1.86400    40.6       13.42
2*         4.639    2.79                          9.69
3*         9.982    1.50   2.10225    16.8        9.75
4         15.905  (可変)                          9.24
5*         5.263    1.56   1.77250    49.6        3.98
6       -125.715    0.61                          3.73
7         -9.506    0.80   1.84666    23.8        3.53
8         33.292    1.00                          3.63
9*        37.457    1.03   1.59201    67.0        4.14
10         -6.580  (可変)                          4.39
11        -85.645    0.80   1.80610    33.3        4.73
12         13.856  (可変)                          4.87
13*        18.432    1.40   1.77250    49.6        8.86
14        -52.076  (可変)                          8.85
15          ∞       0.30   1.51633    64.1       15.00
16          ∞       0.62                         15.00
17          ∞       0.50   1.51633    64.1       15.00
18          ∞       0.49                         15.00
像面        ∞   
非球面係数
k             B             C             D             E
2面-1.16473e+00   6.14057e-04   1.43063e-05  -4.22062e-07   8.26115e-09
3面-8.11060e-01   1.11238e-04   5.60552e-06  -1.86803e-07   3.88923e-09
5面 1.47932e-01   5.61479e-05   4.26195e-05  -7.63667e-06   9.70790e-07
9面-1.54019e+02  -2.43592e-03  -1.34080e-04   1.38647e-05  -2.19415e-06
13面0.00000e+00  -1.12870e-04   3.87531e-06  -1.09143e-07   3.02799e-09
各種データ
ズーム比      3.87 
広角     中間     望遠
焦点距離       3.66     9.27    14.20  
Fナンバー      2.82     4.39     5.96  
画角          46.64    22.72    15.28  
像高           3.88     3.88     3.88  
レンズ全長    34.40    30.22    34.84  
BF             0.49     0.49     0.49  
d 4           14.08     3.28     1.28  
d10            1.32     2.57     2.38  
d12            1.27     7.40    14.39  
d14            3.29     2.53     2.34  
入射瞳位置     6.01     4.05     3.37  
射出瞳位置   -14.40   -50.33   174.41  
前側主点位置   8.77    11.62    18.72  
後側主点位置  -3.18    -8.78   -13.71  
ズームレンズ群データ
群  始面    焦点距離  レンズ構成長  前側主点位置  後側主点位置
1    1      -9.15         5.34        -0.09         -4.29
2    5       7.61         5.00         1.69         -2.81
3   11     -14.74         0.80         0.38         -0.06
4   13      17.78         1.40         0.21         -0.59
5   15       ∞           1.42         0.57         -0.57
単レンズデータ
レンズ  始面  焦点距離
1       1     -5.91
2       3     21.47
3       5      6.57
4       7     -8.66
5       9      9.54
6      11    -14.74
7      13     17.78
【００５８】
（数値実施例２）
単位 mm
面データ
面番号       r        d      nd         νd       有効径
1        -83.162    1.10   1.86400    40.6       13.51
2*         5.728    2.55                         10.59
3*        17.292    1.80   2.01960    21.5       10.92
4        136.719  (可変)                         10.68
5*         6.510    1.40   1.76802    49.2        4.43
6          9.427    0.30                          4.15
7          4.614    1.50   1.59201    67.0        4.17
8        -17.184    0.10                          3.94
9         10.274    0.60   1.84666    23.8        3.80
10*         4.170  (可変)                          3.48
11*       -27.567    0.80   1.73077    40.5        4.90
12*        29.117  (可変)                          5.08
13*        69.054    1.80   1.77250    49.6        9.01
14        -12.263  (可変)                          9.20
15          ∞       0.30   1.51633    64.1       15.00
16          ∞       0.62                         15.00
17          ∞       0.50   1.51633    64.1       15.00
18          ∞       0.32                         15.00
像面        ∞   
非球面係数
k             B             C             D             E
2面-1.23375e+00   3.02144e-04  -1.38956e-06   2.40245e-07  -4.44506e-09
3面 0.00000e+00   7.97369e-05   1.31876e-07   7.57281e-08  -9.26333e-10
5面-2.77657e-01  -2.24254e-04  -3.18520e-06  -3.74995e-06   1.40566e-07
10面0.00000e+00   2.33025e-03   2.61664e-04  -1.74301e-05   7.05706e-06
11面0.00000e+00   1.51189e-03  -1.90729e-04   2.11061e-05  -1.48722e-06
12面0.00000e+00   2.19812e-03  -1.65620e-04   1.47354e-05  -1.01551e-06
13面0.00000e+00  -7.28085e-05   1.34401e-05  -8.22095e-07   1.61288e-08
各種データ
ズーム比      3.81 
広角     中間     望遠
焦点距離       4.12     9.71    15.70  
Fナンバー      2.88     4.23     5.96  
画角          43.28    21.78    13.88  
像高           3.88     3.88     3.88  
レンズ全長    38.00    29.81    32.01  
BF             0.32     0.32     0.32  
d 4           17.45     4.13     1.21  
d10            2.60     5.58     7.64  
d12            1.50     3.24     7.18  
d14            2.76     3.16     2.29  
入射瞳位置     6.63     4.29     3.30  
射出瞳位置   -16.36   -40.78   165.38  
前側主点位置   9.73    11.70    20.49  
後側主点位置  -3.80    -9.39   -15.38  
ズームレンズ群データ
群  始面    焦点距離  レンズ構成長  前側主点位置  後側主点位置
1    1     -11.17         5.45        -0.88         -5.48
2    5       8.85         3.90        -1.31         -3.13
3   11     -19.26         0.80         0.22         -0.24
4   13      13.61         1.80         0.87         -0.15
5   15       ∞           1.42         0.57         -0.57
単レンズデータ
レンズ  始面  焦点距離
1       1     -6.17
2       3     19.27
3       5     22.66
4       7      6.31
5       9     -8.68
6      11    -19.26
7      13     13.61
【００５９】
（数値実施例３）
単位 mm
面データ
面番号       r        d      nd         νd       有効径
1         85.616    1.05   1.86400    40.6       12.94
2*         4.773    2.55                          9.55
3*        11.026    1.50   2.14352    17.8        9.67
4         18.491  (可変)                          9.20
5*         4.971    1.56   1.73077    40.5        4.03
6        -27.564    0.60                          3.77
7         -6.919    0.80   1.84666    23.8        3.72
8         16.546    0.50                          3.94
9*        17.809    1.03   1.59201    67.0        4.20
10         -6.688  (可変)                          4.42
11*         7.498    1.20   1.48749    70.2        4.83
12        -14.988    0.50   1.69680    55.5        4.77
13          5.669  (可変)                          4.73
14*        53.204    1.40   1.77250    49.6        8.47
15        -15.100  (可変)                          8.60
16          ∞       0.30   1.51633    64.1       15.00
17          ∞       0.62                         15.00
18          ∞       0.50   1.51633    64.1       15.00
19          ∞       0.49                         15.00
像面        ∞   
非球面係数
k             B             C             D             E
2面-8.26055e-01   1.82588e-04   5.96398e-06  -4.58739e-08   2.97427e-09
3面 1.30285e-01   3.38114e-06   3.83098e-06  -1.32943e-07   3.45521e-09
5面 7.73111e-01  -2.76268e-04   1.22428e-05   3.40526e-06   5.91260e-07
9面-5.60947e+01  -1.47811e-03  -2.05065e-04   9.39321e-06  -2.22767e-06
11面0.00000e+00  -3.92904e-04  -6.11720e-06   8.41186e-06  -1.13159e-06
14面0.00000e+00  -1.39864e-04   1.90542e-05  -8.68358e-07   1.77108e-08
各種データ
ズーム比      3.87 
広角     中間     望遠
焦点距離       3.66     8.70    14.15  
Fナンバー      2.88     4.19     5.75  
画角          46.69    24.03    15.33  
像高           3.88     3.88     3.88  
レンズ全長    35.11    29.26    31.81  
BF             0.49     0.49     0.49  
d 4           15.03     3.90     1.16  
d10            1.47     3.75     5.44  
d13            1.45     4.10     8.17  
d15            2.56     2.91     2.44  
入射瞳位置     6.05     4.14     3.21  
射出瞳位置   -14.22   -31.10  -245.35  
前側主点位置   8.80    10.45    16.55  
後側主点位置  -3.17    -8.22   -13.67  
ズームレンズ群データ
群  始面    焦点距離  レンズ構成長  前側主点位置  後側主点位置
1    1      -9.00         5.10        -0.06         -3.98
2    5       8.19         4.49         1.03         -2.69
3   11     -15.92         1.70         2.34          1.08
4   14      15.36         1.40         0.62         -0.18
5   16       ∞           1.42         0.57         -0.57
単レンズデータ
レンズ  始面  焦点距離
1       1     -5.89
2       3     21.57
3       5      5.88
4       7     -5.67
5       9      8.34
6      11     10.43
7      12     -5.85
8      14     15.36
【００６０】
（数値実施例４）
単位 mm
面データ
面番号       r        d      nd         νd       有効径
1         99.466    1.05   1.86400    40.6       14.39
2*         5.440    2.88                         10.66
3*        14.709    1.50   2.14352    17.8       10.70
4         27.425  (可変)                         10.28
5*         4.618    1.56   1.73077    40.5        4.16
6         17.334    0.30                          3.78
7          9.369    0.80   1.84666    23.8        3.63
8          3.609    0.30                          3.23
9*         5.716    1.03   1.59201    67.0        3.25
10        -19.240  (可変)                          3.34
11        446.813    0.80   1.68893    31.1        4.50
12*        10.425  (可変)                          4.61
13*        26.911    1.80   1.77250    49.6        8.79
14        -12.058    0.60   1.69895    30.1        8.89
15        -15.670  (可変)                          9.00
16          ∞       0.30   1.51633    64.1       15.00
17          ∞       0.62                         15.00
18          ∞       0.50   1.51633    64.1       15.00
19          ∞       0.48                         15.00
像面        ∞   
非球面係数
k             B             C             D             E
2面-1.46073e+00   5.74124e-04   5.48212e-06  -1.34323e-07   3.23343e-09
3面-1.07357e+00   8.16609e-05   2.25689e-06  -4.23622e-08   1.25421e-09
5面-1.45216e-01  -4.05052e-04  -6.18216e-06  -2.26778e-06   4.37029e-08
9面 0.00000e+00   1.42078e-04   1.50416e-04  -3.82692e-05   7.60454e-06
12面0.00000e+00   7.54748e-04  -4.37354e-05   5.48610e-06  -4.29401e-07
13面0.00000e+00  -5.13982e-05   6.60773e-06  -3.18319e-07   4.87274e-09
各種データ
ズーム比      3.81 
広角     中間     望遠
焦点距離       3.71     8.98    14.13  
Fナンバー      2.88     4.28     5.77  
画角          46.30    23.36    15.36  
像高           3.88     3.88     3.88  
レンズ全長    38.00    30.32    33.00  
BF             0.48     0.48     0.48  
d 4           17.38     3.96     0.90  
d10            2.00     3.94     6.10  
d12            1.50     3.83     7.24  
d15            2.60     4.06     4.24  
入射瞳位置     6.70     4.41     3.34  
射出瞳位置   -16.30   -42.52   178.00  
前側主点位置   9.59    11.52    18.59  
後側主点位置  -3.22    -8.50   -13.64  
ズームレンズ群データ
群  始面    焦点距離  レンズ構成長  前側主点位置  後側主点位置
1    1     -10.09         5.43        -0.21         -4.56
2    5       8.36         3.99        -0.13         -2.81
3   11     -15.50         0.80         0.49          0.01
4   13      12.92         2.40         0.87         -0.53
5   16       ∞           1.42         0.57         -0.57
単レンズデータ
レンズ  始面  焦点距離
1       1     -6.70
2       3     26.10
3       5      8.19
4       7     -7.41
5       9      7.56
6      11    -15.50
7      13     11.00
8      14    -80.33
【００６１】
（数値実施例５）
単位 mm
面データ
面番号       r        d      nd         νd       有効径
1       -276.801    1.20   1.86400    40.6       14.96
2*         5.484    2.94                         11.31
3*        16.985    1.50   2.10200    16.8       11.64
4         41.788  (可変)                         11.40
5*         6.536    1.60   1.81000    41.0        5.00
6       1823.882    0.20                          4.80
7          7.326    1.20   1.49700    81.5        4.61
8        -86.233    0.50   1.76182    26.5        4.26
9          4.449    0.80                          3.91
10(絞り)    ∞       0.30                          3.94
11          9.843    1.03   1.56907    71.3        3.99
12        -27.708  (可変)                          3.92
13*       -14.320    0.80   1.81474    37.0        4.73
14*      -180.294  (可変)                          4.87
15       -152.946    2.00   1.77250    49.6        9.47
16*        -9.153  (可変)                          9.71
17          ∞       0.30   1.51633    64.1       15.00
18          ∞       0.62                         15.00
19          ∞       0.50   1.51633    64.1       15.00
20          ∞       0.40                         15.00
像面        ∞   
非球面係数
k             B             C             D             E
2面-8.79861e-01  -2.66722e-05   3.15717e-07   1.73212e-07  -2.50519e-09
3面-1.92426e+00   8.33093e-05   3.80152e-07   3.87320e-08  -2.52980e-10
5面-3.13802e-01  -1.61589e-04  -1.76830e-07  -8.61130e-08  -4.02232e-09
13面0.00000e+00   2.78975e-03   9.63653e-07  -2.59843e-05   1.65213e-06
14面0.00000e+00   3.51146e-03  -8.39532e-06  -1.57164e-05   7.66379e-07
16面0.00000e+00   2.97798e-04  -1.39036e-05   5.88967e-07  -8.77916e-09
各種データ
ズーム比      4.76 
広角     中間     望遠
焦点距離       3.71     9.93    17.66  
Fナンバー      2.88     4.42     5.96  
画角          46.30    21.35    12.39  
像高           3.88     3.88     3.88  
レンズ全長    39.81    33.12    37.26  
BF             0.40     0.40     0.40  
d 4           17.64     3.86     0.90  
d12            2.00     5.60     8.88  
d14            1.60     4.59     9.37  
d16            2.68     3.19     2.22  
入射瞳位置     6.76     5.33     4.77  
射出瞳位置   -14.64  -104.99    40.56  
前側主点位置   9.55    14.32    30.20  
後側主点位置  -3.31    -9.53   -17.27  
ズームレンズ群データ
群  始面    焦点距離  レンズ構成長  前側主点位置  後側主点位置
1    1      -9.49         5.64        -0.30         -4.95
2    5       9.01         5.63        -0.01         -4.23
3   13     -19.13         0.80        -0.04         -0.48
4   15      12.53         2.00         1.19          0.07
5   17       ∞           1.42         0.57         -0.57
単レンズデータ
レンズ  始面  焦点距離
1       1     -6.21
2       3     25.17
3       5      8.10
4       7     13.65
5       8     -5.54
6      11     12.89
7      13    -19.13
8      15     12.53
【００６２】
（数値実施例６）
実施例6
単位 mm
面データ
面番号       r        d      nd         vd       有効径
1         51.394    1.05   1.85135    40.1       12.63
2*         4.094    2.54                          8.97
3*         9.278    1.50   2.10225    16.8        9.22
4         15.369  (可変)                          8.75
5*         5.183    1.56   1.77250    49.6        3.62
6        -48.494    0.59                          3.33
7         -8.455    0.80   1.84666    23.8        3.10
8         25.169    0.39                          3.02
9(絞り)    ∞       0.55                          3.00
10*        27.384    1.03   1.59201    67.0        2.97
11         -5.657  (可変)                          3.03
12        -59.185    0.80   1.80610    33.3        3.58
13         18.613  (可変)                          3.81
14*        18.104    1.40   1.77250    49.6        7.43
15       -339.826  (可変)                          7.52
16          ∞       0.30   1.51633    64.1       15.00
17          ∞       0.62                         15.00
18          ∞       0.50   1.51633    64.1       15.00
19          ∞                                    15.00
像面        ∞   
非球面データ
第2面
K =-1.01307e+000  A 4= 4.85825e-004  A 6= 2.68253e-005  A 8=-6.35527e-007  A10= 2.01839e-008  
第3面
K =-1.57465e+000  A 4= 2.33602e-004  A 6= 9.23122e-006  A 8=-2.90186e-007  A10= 9.28177e-009  
第5面
K = 5.03122e-002  A 4= 4.30955e-005  A 6= 5.48347e-005  A 8=-1.12554e-005  A10= 1.40193e-006  
第10面
K =-1.18768e+002  A 4=-2.35528e-003  A 6=-1.62517e-004  A 8= 1.81037e-005  A10=-2.22752e-006  
第14面
K = 0.00000e+000  A 4=-1.92426e-004  A 6= 9.89324e-006  A 8=-4.66859e-007  A10= 1.24270e-008  
各種データ
ズーム比      2.93 
広角     中間     望遠
焦点距離       3.65     7.33    10.70  
Fナンバー      2.88     4.14     5.36  
画角          46.75    27.90    19.93  
像高           3.88     3.88     3.88  
レンズ全長    30.49    27.04    29.15  
BF             0.49     0.49     0.49  
d 4           10.97     3.20     0.98  
d11            1.21     1.83     1.86  
d13            1.22     4.93     9.22  
d15            2.97     2.97     2.97  
d19            0.49     0.49     0.49  
入射瞳位置     5.65     4.60     4.11  
射出瞳位置    -9.55   -17.39   -32.50  
前側主点位置   7.98     8.92    11.34  
後側主点位置  -3.16    -6.84   -10.21  
ズームレンズ群データ
群  始面    焦点距離  レンズ構成長  前側主点位置  後側主点位置
1    1      -8.27         5.09        -0.05         -3.99
2    5       7.08         4.92         1.89         -2.63
・   3   12     -17.49         0.80         0.34         -0.11
4   14      22.29         1.40         0.04         -0.75
5   16       ∞           1.42         0.57         -0.57
単レンズデータ
レンズ  始面  焦点距離
1       1     -5.28
2       3     18.81
3       5      6.14
4       7     -7.39
5      10      8.01
6      12    -17.49
7      14     22.29
8      16      0.00
9      18      0.00
【００６３】
【表１】
0005566207.tif 000002
【００６４】
次に、各実施例に示したようなズームレンズを撮影光学系として用いた、デジタルカメラの実施形態を図１１を用いて説明する。図１１において、２０はカメラ本体、２１は本発明のズームレンズによって構成された撮像光学系である。２２は撮像光学系２１によって形成された被写体像を受光するＣＣＤなどの撮像素子である。２３は撮像素子２２が受光した被写体像を記録する記録手段、２４は不図示の表示素子に表示された被写体像を観察するためのファインダーである。上記表示素子は液晶パネルなどによって構成され、撮像素子２２上に形成された被写体像が表示される。
【００６５】
このように本発明のズームレンズをデジタルカメラなどの光学機器に適用することにより、高い光学性能を有する撮像装置を実現している。なお、本発明のズームレンズを光電変換素子を用いた光学機器に適用する場合、歪曲収差については公知の手法を用いて補正してもよい。
【符号の説明】
【００６６】
Ｌ１  第１レンズ群      Ｌ２  第２レンズ群      Ｌ３  第３レンズ群
Ｌ４  第４レンズ群      ＩＰ  像面      Ｇ  ガラスブロック      ｄ  ｄ線
ｇ  ｇ線      ΔＳ  サジタル像面      ΔＭ  メリディオナル像面
【図１】
0005566207.tif 000003
【図２】
0005566207.tif 000004
【図３】
0005566207.tif 000005
【図４】
0005566207.tif 000006
【図５】
0005566207.tif 000007
【図６】
0005566207.tif 000008
【図７】
0005566207.tif 000009
【図８】
0005566207.tif 000010
【図９】
0005566207.tif 000011
【図１０】
0005566207.tif 000012
【図１１】
0005566207.tif 000013
【図１２】
0005566207.tif 000014
【図１３】
0005566207.tif 000015